(57)【要約】  煩雑な作業を必要とすることなく、簡単かつ確実にソーラーパネルの傾斜角度を変更できるソーラーパネル用架台を提供する。ソーラーパネル用架台１は、段違いで平行し水平方向に延在する一対の横部材２１，２２と横部材間に横架され一方側に傾斜した状態で平行に延在する一対の傾斜部材２３とを有する傾斜支持枠２と、傾斜支持枠を設置面に固定支持する固定支持部材３と、ソーラーパネル７が固定される方形状のパネル支持部材５と、傾斜支持枠とパネル支持部材との間に延在するように設けられ、パネル支持部材を回動可能に支持する支持軸４と、パネル支持部材の回動する両端側に一方の端部が回動自在に夫々設けられ、パネル支持部材の所定の傾斜角度位置に対応する位置において、回動方向から横部材の外周の半周分を係脱可能に係合する係合凹部６３ｆ１，６３ｆ２，６３ｒ１，６３ｒ２を有する一対のストッパ部材６ｆ，６ｒと、を備える。
2016185555.tif 000002
【特許請求の範囲】
【請求項１】
段違いで互いに平行し水平方向に沿って延在する一対の横部材と、前記横部材間に横架され一方側に傾斜した状態で互いに平行に延在する一対の傾斜部材と、を有する傾斜支持枠と、
前記傾斜支持枠を設置面に固定支持する固定支持部材と、
前記傾斜支持枠の上方に設けられソーラーパネルが配設固定される方形状のパネル支持部材と、
前記傾斜支持枠と前記パネル支持部材との間に前記横部材に平行な方向に沿って延在するように設けられ、前記パネル支持部材の対向する二辺の中央部で前記パネル支持部材を回動可能に支持する支持軸と、
前記パネル支持部材の回動する両端側に一方の端部が回動自在に夫々設けられ、
前記パネル支持部材の所定の傾斜角度位置に対応する位置において、下方側が開口し回動方向上方から前記横部材の外周の半周分を係脱可能に係合する係合凹部を有する一対のストッパ部材と、
を備えるソーラーパネル用架台。
【請求項２】
前記一対のストッパ部材は、前記係合凹部が夫々少なくとも１つずつ設けられ、一方の前記ストッパ部材の前記係合凹部が一方の前記横部材に係合する場合に、他方の前記ストッパ部材の前記係合凹部は、他方の前記横部材に係合しない請求項１に記載のソーラーパネル用架台。
【請求項３】
前記一対のストッパ部材は、前記係合凹部が少なくとも２つずつ設けられ、一方の前記ストッパ部材の前記係合凹部が一方の前記横部材に係合する場合に、他方の前記ストッパ部材の前記係合凹部は、他方の前記横部材に係合しない請求項１に記載のソーラーパネル用架台。
【請求項４】
前記ストッパ部材は、前記係合凹部と前記横部材の外周の半周分を係合するに満たない浅い係合凹部とが交互に並べて配設され、一方の前記ストッパ部材の前記係合凹部が一方の前記横部材に係合した際に、他方の前記ストッパ部材の前記浅い係合凹部が他方の前記横部材に係合する請求項３に記載のソーラーパネル用架台。
【請求項５】
前記パネル支持部材、前記ストッパ部材および前記パネル支持部材に配設固定されるソーラーパネルの各重心の合成によって形成される合成重心の位置は、前記パネル支持部材の回動中心に一致する請求項１乃至４に記載のソーラーパネル用架台。
【請求項６】
前記パネル支持部材、前記ストッパ部材および前記パネル支持部材に配設固定されるソーラーパネルの各重心の合成によって形成される合成重心は、前記パネル支持部材の回動中心の直下に設定される請求項１乃至４に記載のソーラーパネル用架台。
【請求項７】
前記パネル支持部材、前記ストッパ部材および前記パネル支持部材に配設固定されるソーラーパネルの各重心の合成によって形成される合成重心は、前記パネル支持部材が回動された際に傾斜により低くなる側に、偏って設定される請求項１乃至４に記載のソーラーパネル用架台。
【請求項８】
前記パネル支持部材には、重量部を前記回動中心に対して接近離間させることで、前記パネル支持部材、前記ストッパ部材および前記パネル支持部材に配設固定されるソーラーパネルの各重心の合成によって形成される合成重心の位置を、前記回動中心を挟んだ両側方のうちの一方側および他方側のいずれかの位置に移動させることが可能な重心位置移動装置が設けられている請求項１乃至４に記載のソーラーパネル用架台。
【発明の詳細な説明】
【技術分野】
【０００１】
本発明は、ソーラーパネルを支持するのに用いられる架台に関する。
【背景技術】
【０００２】
近年、資源としての枯渇性がなく環境を汚さない自然エネルギーを利用した発電の一つとして、太陽光発電が考えられている。
太陽光発電は、太陽電池の単体の素子であるセルに光を当てると、セルに含まれている電子に光エネルギーが吸収される。電子に光エネルギーが吸収されると、光起電力効果によって光エネルギーは直接的に電力に変換され、電力して外部へ出力される。
また、セルを複数配列し、屋外で利用できるように、樹脂や強化ガラスで保護し、パッケージ化したものがソーラーパネル（モジュール）と呼ばれる。
そして、ソーラーパネルは、太陽エネルギーを効率よく吸収する必要があるため、太陽の光を最も受ける方向にソーラーパネルを向けて支持するソーラーパネル用架台は、大変重要である。【０００３】
特許文献１のソーラーパネルの架台は、ソーラーパネルを設置される支持部と、支持部を揺動可能に支持する揺動用支柱と、支持部の揺動に伴って伸縮して支持部を支持するスライド柱と、支持部を所定の傾斜角度で傾斜させる角度調整駆動部と、支持部とスライド柱を所定の位置で固定する固定手段とを備える。
面積の広いソーラーパネルであっても、角度調整駆動部を駆動させることで、安定してソーラーパネルの傾斜角度を簡単に調整できるとしている。【０００４】
特許文献２の太陽電池パネルの傾斜角度手動調節装置は、太陽電池パネル設置され、かつ両端に設置された回転軸が軸受に挿入設置されて回動するトルクチューブと、トルクチューブの両端の底面にトルクチューブと水平に、かつ直角を成すように固定設置され、かつ両側に形成されたボルト穴が露出するように、両側のボルト穴の間が固定設置される傾斜角度調整台と、トルクチューブの回動による太陽電池パネルの傾斜角度調整時に傾斜角度調整台を支持して回動させて、回動した傾斜角度調整台の両側のボルト穴と一致するボルト穴が形成されて、垂直支持台の上端部の両側面に固定設置された回転設置ストッパと、を備えている。
トルクチューブを、軸受に挿入設置されたその回転軸によって手動で第一ストッパまたは第二ストッパ側に回動させて、太陽の高度変化による太陽電池パネルの傾斜角度を手動で調節する。
【先行技術文献】
【特許文献】
【０００５】
【特許文献１】特開２００５−６４１４７号公報
【特許文献２】特表２０１３−５３１８８５号公報
【発明の概要】
【発明が解決しようとする課題】
【０００６】
しかし、特許文献１のソーラーパネルの架台は、傾斜角度を調整した後に、支持部とスライド柱との両方を異なった固定手段で固定する必要があり、煩雑な作業となるという問題があった。
また、特許文献２の太陽電池パネルの傾斜角度手動調節装置は、トルクチューブを、４本のボルトの締結を調整しながら第一ストッパまたは第二ストッパ側に回動させるというものである。そのため、例えば、第一ストッパ側の二本のボルトを緩めるとともに、第二ストッパ側の二本のボルトを締結する。さらに、第一ストッパ側および第二ストッパ側で夫々組となった二本のボルトは締結する長さが異なるため調節を要する。このような煩雑な作業を行ないながら、傾斜角度を調節するという問題があった。【０００７】
本発明の目的は、かかる従来の問題点に鑑みてなされたもので、煩雑な作業を必要とすることなく、簡単かつ確実にソーラーパネルの傾斜角度を変更できるソーラーパネル用架台を提供することである。
【課題を解決するための手段】
【０００８】
本発明の構成上の特徴は、段違いで互いに平行し水平方向に沿って延在する一対の横部材と、前記横部材間に横架され一方側に傾斜した状態で互いに平行に延在する一対の傾斜部材と、を有する傾斜支持枠と、前記傾斜支持枠を設置面に固定支持する固定支持部材と、前記傾斜支持枠の上方に設けられソーラーパネルが配設固定される方形状のパネル支持部材と、前記傾斜支持枠と前記パネル支持部材との間に前記横部材に平行な方向に沿って延在するように設けられ、前記パネル支持部材の対向する二辺の中央部で前記パネル支持部材を回動可能に支持する支持軸と、前記パネル支持部材の回動する両端側に一方の端部が回動自在に夫々設けられ、前記パネル支持部材の所定の傾斜角度位置に対応する位置において、下方側が開口し回動方向上方から前記横部材の外周の半周分を係脱可能に係合する係合凹部を有する一対のストッパ部材と、を備える。
【発明の効果】
【０００９】
これによると、ソーラーパネルを配設固定するパネル支持部材は、傾斜支持枠とパネル支持部材との間に設けられた支持軸に中央部が回動可能に支持される。そのため、作業者は、パネル支持部材を、大きな力を要することなく、必要な傾斜角度に傾斜することができる。
パネル支持部材が所定の傾斜角度になったときに、ストッパ部材の対応する係合凹部が横部材に割り出され、ストッパ部材は、下方へ回動し係合凹部が横部材に係合する。パネル支持部材の回動を停止させようとする際に、ストッパ部材には、横部材よりストッパ部材の軸方向に沿った方向の力が作用する。しかし、ストッパ部材の係合凹部は、横部材の外周の半周分を係合しているので、ストッパ部材の軸方向に作用する力は、係合凹部の開口縁部で受けられて係合凹部と横部材とが外れることはない。
このように、大きな力を要することなく、パネル支持部材を簡単に傾斜させる。そして、太陽の光を最も受ける方向にソーラーパネルを向けて確実に支持することができる。
【図面の簡単な説明】
【００１０】
【図１】本発明のソーラーパネル用架台の全体構造を斜視図で示す概要図である。
【図２】ソーラーパネル用架台の上部側の一部を示す平面図である。
【図３】前側の長板状部の係合凹部および浅い係合凹部を示す概要図である。
【図４】後側の長板状部の係合凹部および浅い係合凹部を示す概要図である。
【図５】パネル支持部材における回動棒部材と、ストッパ部材との構造を示す概要図である。
【図６】パネル支持部材が傾動した場合のストッパ部材の動きを示す説明図である。
【図７】パネル支持部材の傾斜角度が、０度に支持された場合を示す図である。
【図８】パネル支持部材の傾斜角度が、１０度に支持された場合を示す図である。
【図９】パネル支持部材の傾斜角度が、２０度に支持された場合を示す図である。
【図１０】パネル支持部材の傾斜角度が、３０度に支持された場合を示す図である。
【図１１】第二実施形態のソーラーパネル用架台において、パネル支持部材の傾斜角度が、２０度に支持された場合を示す図である。
【図１２】第三実施形態のソーラーパネル用架台において、パネル支持部材の傾斜角度が、２０度に支持された場合を示す図である。
【図１３】第三実施形態のソーラーパネル用架台において、パネル支持部材の傾斜角度が、３０度に支持された場合を示す図である。
【図１４】第四実施形態におけるソーラーパネル用架台の概要図である。
【発明を実施するための形態】
【００１１】
（第一実施形態）
本件発明にかかるソーラーパネル用架台の第一実施形態について、図１〜図１０に基づいて以下に説明する。
ソーラーパネル用架台１は、図１に示すように、傾斜支持枠２と、傾斜支持枠２を設置面ＧＤに固定支持する固定支持部材３と、傾斜支持枠２に設けられる支持軸４と、支持軸４に回動可能に支持されるパネル支持部材５と、パネル支持部材５を所定の傾斜角度位置でパネル支持部材５の回動を停止させるストッパ部材６ｆ，６ｒと、を備えている。なお、図１において、右側をＲ、左側をＬ、前側をｆ、後側をｒで表すものとする。
【００１２】
傾斜支持枠２を固定支持する固定支持部材３は、所定の距離離れて載置された二つの台座３０Ｒ，３０Ｌと、夫々の台座３０Ｒ，３０Ｌの他方端側（後側）に夫々立設される一対の第一支柱３１Ｒ，３１Ｌと、夫々の台座３０Ｒ，３０Ｌの一方端側（前側）に夫々立設され第一支柱３１Ｒ，３１Ｌより高さが低く設けられた一対の第二支柱３２Ｒ，３２Ｌと、を有している。
【００１３】
二つの台座３０Ｒ，３０Ｌは、例えば、重量のある太いI形鋼材を横に寝かせた状態で、所定距離だけ離して設置面に互いに平行に設けられている。二つの台座３０Ｒ，３０Ｌの他方端側（図１において後側）の上面には、例えば、中くらいの太さのI形鋼材からなる第一支柱３１Ｒ，３１Ｌが、例えば溶接により下端部を溶着されて夫々立設されている。
【００１４】
二つの台座の一方端側（図１において前側）の上面には、例えば、中くらいの太さのI形鋼材からなる第二支柱３２Ｒ，３２Ｌが、例えば溶接により下端部を溶着されて夫々立設されている。
【００１５】
傾斜支持枠２は、前記一対の第一支柱３１Ｒ，３１Ｌ間に横架される上段横部材２１と、前記一対の第二支柱３２Ｒ，３２Ｌ間に横架される下段横部材２２と、上段横部材２１および下段横部材２２の両端部間に夫々横架される一対の傾斜部材２３Ｒ，２３Ｌとを有している。上段横部材２１と下段横部材２２とは、高さの異なる段違いの高さ位置に配置されて、水平方向に沿って延在している。傾斜部材２３Ｒ，２３Ｌは、一方側（第二支柱３２Ｒ，３２Ｌ側）に傾斜した状態で互いに平行に延在している。これらの上段横部材２１および下段横部材２２が、横部材に相当する。
【００１６】
上段・下段横部材２１，２２は、例えば、断面丸形の棒状材で形成されている。上段横部材２１は、第一支柱３１Ｒ，３１Ｌの上部後側面に例えば溶接等で端部が夫々溶着され、対向する第一支柱３１Ｒ，３１Ｌ間に横架されている。下段横部材２２は、第二支柱３２Ｒ，３２Ｌの上部前側面に、例えば、溶接等で端部が夫々溶着され、対向する第二支柱３２Ｒ，３２Ｌ間に横架されている。
【００１７】
一対の傾斜部材２３Ｒ，２３Ｌは、例えば、やや細いI形鋼材で形成されている。一対の傾斜部材２３Ｒ，２３Ｌは、傾斜した上部の下端面が、上段横部材２１の両端側上面に、傾斜した下部の下端面は、下段横部材２２の両端側上面に、例えば、溶接等により夫々溶着されている。
【００１８】
一対の傾斜部材２３Ｒ，２３Ｌの中間部上面には、直方体状の嵩補助部材２４が夫々溶着されている。各嵩補助部材２４の上面には、断面円形の棒材からなる支持軸４が、支持軸４の外周を支承するブラケット２５およびビスによって固定されている。支持軸４は、上段・下段横部材２１，２２と平行な方向に沿って延在するように支持されている。
【００１９】
パネル支持部材５は、支持軸４に中央部において支持される一対の回動棒部材５１Ｒ，５１Ｌ（対向する二辺に相当）と、上段・下段横部材２１，２２に対して平行な方向に延在し、回動棒部材５１Ｒ，５１Ｌの両端部に横架される一対のパネル固定部材５２ｆ，５２ｒと、によって方形状に形成されている。回動棒部材５１Ｒ，５１Ｌの中央部下面には、支持軸４の外周面に当接する軸受部材５３が設けられている。軸受部材５３は、帯状保持部およびビスによって支持軸４の外周を回動可能に支承する。パネル固定部材５２ｆ、５２ｒ部材には、図２に示すように、二枚のソーラーパネル７が、例えば、ボルト等で固定されている。
【００２０】
パネル支持部材５、ストッパ部材６ｆ、６ｒ、ソーラーパネル７の各重心の合成によって、図７に示すように、合成重心Ｇが形成される。合成重心Ｇには、パネル支持部材５、ストッパ部材６ｆ、６ｒ、ソーラーパネル７の合計重量Ｗが作用する。本実施形態における合成重心Ｇは、パネル支持部材５が水平位置で釣り合ったときに、回動中心ＳＣとなる支持軸４の直下の所定位置に設定されている。
【００２１】
回動棒部材５１Ｒ，５１Ｌの夫々の両端部側には、ストッパ部材６ｆ，６ｒが設けられている。ストッパ部材６ｆ，６ｒは、夫々対向して配置される１対の長板状部６１ｆ，６１ｒと、長板状部６１ｆ，６１ｒの先端部を連結する連結部材６２と、を有している。ストッパ部材６ｆ，６ｒの長板状部６１ｆ，６１ｒの一端部は、図１および図５に示すように、回動棒部材５１Ｒ，５１Ｌにピン６５によって回動自在に連結されている。長板状部６１ｆ，６１ｒの他端部は、上段・下段横部材２１，２２が延在する方向に沿って延在する連結部材６２により連結されている。連結部材６２としては、例えば、山形鋼材が使用される。
【００２２】
前側の長板状部６１ｆの下面には、図３に示すように、係合凹部６３ｆ１，６３ｆ２と、浅い係合凹部６４ｆ１，６４ｆ２とが交互に形成されている。後側の長板状部６１ｒの下面には、図４に示すように、係合凹部６３ｒ１，６３ｒ２と、浅い係合凹部６４ｒ１，６４ｒ２とが交互に形成されている。各係合凹部６３ｆ１，６ｆ２，６３ｒ１，６３ｒ２は、上段・下段横部材２１，２２の外周の半周分を係合するように半円状に切欠かれている。各浅い係合凹部６４ｆ１，６４ｆ２，６４ｒ１，６４ｒ２は、上段・下段横部材２１，２２の外周部の半周分に満たない分、例えば、四分の一周分を係合するように四分の一円周状に切欠かれている。長板状部６１ｆ，６１ｒの下面は、パネル支持部材５が傾動すると、図６に示すように、ストッパ部材６ｆ，６ｒの自重によって、上段・下段横部材２１，２２の上部外周面に接触し、接触した状態で相対移動する。そして、上段・下段横部材２１，２２にいずれかの係合凹部６３ｆ１，６３ｆ２，６３ｒ１，６３ｒ２が割り出されたときに、ストッパ部材６ｆ，６ｒは、一端部のピン６５を中心に自重で回動して上段・下段横部材２１，２２に係合する。上段・下段横部材２１，２２と係合凹部６３ｆ１，６３ｆ２，６３ｒ１，６３ｒ２とが係合する位置は、パネル支持部材５の所定の傾斜角度に対応させて設定されている。
【００２３】
具体的には、図７に示すように、パネル支持部材５の傾斜角度が０度の場合、上段横部材２１は、後側のストッパ部材６ｒにおいて、長板状部６１ｒの上の位置の係合凹部６３ｒ１に係合する。その際、下段横部材２２は、前側のストッパ部材６ｆにおいて、長板状部６１ｆの下の位置の浅い係合凹部６４ｆ２に係合する。パネル支持部材５の傾斜角度を０度とする設定は、例えば、台風時にソーラーパネル７およびパネル支持部材５が強風に煽られないようにするために実施する。
【００２４】
パネル支持部材５の傾斜角度が１０度の場合、図８に示すように、下段横部材２２は、前側のストッパ部材６ｆにおいて、長板状部６１ｆの下の位置の係合凹部６３ｆ２に係合する。その際、上段横部材２１は、後側のストッパ部材６ｒにおいて、長板状部６１ｒの上の位置の浅い係合凹部６４ｒ１に係合する。パネル支持部材５の傾斜角度を１０度とする設定は、例えば、太陽の高度が高い夏季に実施する。
【００２５】
パネル支持部材５の傾斜角度が２０度の場合、図９に示すように、上段横部材２１は、後側のストッパ部材６ｒにおいて、長板状部６１ｒの下の位置の係合凹部６３ｒ２に係合する。その際、下段横部材２２は、前側のストッパ部材６ｆにおいて、長板状部６１ｆの上の位置の浅い係合凹部６４ｆ１に係合する。パネル支持部材５の傾斜角度を２０度とする設定は、例えば、太陽の高度が中位となる春季および秋季に実施する。
【００２６】
パネル支持部材５の傾斜角度が３０度の場合、図１０に示すように、下段横部材２２は、前側のストッパ部材６ｆにおいて、長板状部６１ｆの上の位置の係合凹部６３ｆ１に係合する。その際、上段横部材２１は、後側のストッパ部材６ｒにおいて、長板状部６１ｒの下の位置の浅い係合凹部６４ｒ２に係合する。パネル支持部材５の傾斜角度を３０度とする設定は、例えば、太陽の高度が低い冬季に実施する。
【００２７】
（作動）
次に、本実施形態におけるソーラーパネル用架台の作動について、以下に説明する。
本実施形態において、パネル支持部材５、ストッパ部材６ｆ，６ｒ、ソーラーパネル７の合計重量Ｗが作用する合成重心Ｇは、傾斜角度が０度の場合に、パネル支持部材５の回動中心の直下の位置に設定されている。
【００２８】
そのため、ソーラーパネル７が固定されたパネル支持部材５は、傾斜角度が０度の位置で、釣り合った状態が保たれる。パネル支持部材５が傾斜した位置で支持された場合、パネル支持部材５には、傾斜角度が０度になる方向に回転力が働く。
【００２９】
図１０に示すように、パネル支持部材５が傾斜角度３０度で支持されていた場合に、傾斜角度を２０度に変更しようとするとき、前側のストッパ部材６ｆにおいて、作業者は、上の位置の係合凹部６３ｆ１を下段横部材２２から係合を外す。パネル支持部材５は、回動中心ＳＣ回りの合計重量Ｗに基づいて、図１０において時計回りに回転し、後側のストッパ部材６ｒにおいて、上段横部材２１は、下の位置の浅い係合凹部６４ｒ２から自然に外れる。そして、上段横部材２１は、図９に示すように、下の位置の係合凹部６３ｒ２に係合する。その際に、下段横部材２２は、前側のストッパ部材６ｆにおいて、上の位置の浅い係合凹部６４ｆ１に係合する。これによって、パネル支持部材５は、傾斜角度２０度で支持される。
【００３０】
次に、図９に示すように、パネル支持部材５が傾斜角度２０度で支持されていた場合に、傾斜角度を１０度に変更しようとするとき、作業者は、後側のストッパ部材６ｒにおいて、下の位置の係合凹部６３ｒ２を上段横部材２１から係合を外す。そうすると、パネル支持部材５は、同様に図９において時計回りに回転し、前側のストッパ部材６ｆにおいて、下段横部材２２は、上の位置の浅い係合凹部６４ｆ１から自然に外れる。そして、下段横部材２２は、図８に示すように、下の係合凹部６３ｆ２に係合する。その際、上段横部材２１は、後側のストッパ部材６ｒにおいて、上の位置の浅い係合凹部６４ｒ１に係合する。これによって、パネル支持部材５は、傾斜角度１０度で支持される。
【００３１】
パネル支持部材５の傾斜角度を１０度から０度に変更することについては、前側のストッパ部材６ｆにおいて、下の位置の係合凹部６３ｆ２を下段横部材２２から係合を外すことで、同様に実行できる。
【００３２】
次に、図７に示すように、パネル支持部材５の傾斜角度が０度に支持されている場合、傾斜角度１０度に変更するには、作業者は、後側のストッパ部材６ｒにおいて、上の位置の係合凹部６３ｒ１を上段横部材２１から外す。この場合、作業者は、パネル支持部材５の後側の端部を引き上げることで、パネル支持部材５を、図７において反時計回りに回転させる。前側のストッパ部材６ｆにおいて、下段横部材２２は、下の位置の浅い係合凹部６４ｆ２より外れる。続いて、下段横部材２２は、図８に示すように、下の位置の係合凹部６３ｆ２に係合する。その際、後側のストッパ部材６ｒにおいて、上段横部材２１は、上の位置の浅い係合凹部６４ｒ１に係合する。これによって、パネル支持部材５は、傾斜角度１０度で支持される。この場合には、作業者は、パネル支持部材５の後側の端部を引き上げる必要がある。しかし、パネル支持部材５は、回動棒部材５１Ｒ，５１Ｌの中央部で支持されているので、作業者は、小さな力でパネル支持部材５を回転させることができる。
【００３３】
次に、図８に示すように、パネル支持部材５の傾斜角度が１０度に支持されている場合、傾斜角度２０度に変更するには、作業者は、前側のストッパ部材６ｆにおいて、下の位置の係合凹部６３ｆ２を下段横部材２２から外す。この場合、作業者は、パネル支持部材５の前側の端部を押し下げることで、パネル支持部材５を、図８において反時計回りに回転させる。後側のストッパ部材６ｒにおいて、上段横部材２１は、上の位置の浅い係合凹部６４ｒ１より外れる。続いて、上段横部材２１は、図９に示すように、下の位置の係合凹部６３ｒ２に係合する。その際、前側のストッパ部材６ｆにおいて、下段横部材２２は、上の位置の浅い係合凹部６４ｆ１に係合する。これによって、パネル支持部材５は、傾斜角度２０度で支持される。この場合には、作業者は、パネル支持部材５の前側の端部を押し下げる必要がある。しかし、パネル支持部材５は、回動棒部材５１Ｒ，５１Ｌの中央部で支持されているので、作業者は、小さな力でパネル支持部材５を回転させることができる。
【００３４】
パネル支持部材５の傾斜角度を２０度から３０度に変更することについては、後側のストッパ部材６ｒにおいて、下の位置の係合凹部６３ｒ２を上段横部材２１から係合を外すことで、同様に実行できる。
【００３５】
なお、本実施形態では、パネル支持部材５の傾斜角度が０度の場合に、パネル支持部材５の回動中心ＳＣの直下の位置に合成重心Ｇを設定したが、これに限定されず、例えば、パネル支持部材５の傾斜角度が３０度の場合に、パネル支持部材５の回動中心ＳＣの直下の位置に合成重心Ｇを設定してもよい。この様に３０度に設定した場合には、傾斜角度が３０度の位置に向かって回転する力が働く。例えば、パネル支持部材５が２０度の傾斜角度で支持されている場合に、後側のストッパ部材６ｒにおいて、互いに係合状態にある下の位置の係合凹部６３ｒ２を上段横部材２１より外すと、パネル支持部材５は、３０度の傾斜角度に向かって回転し、前側のストッパ部材６ｆにおいて、下段横部材２２に上の位置の係合凹部６３ｆ１が係合する。
【００３６】
また、浅い係合凹部６４ｆ１，６４ｆ２，６４ｒ１，６４ｒ２は、上段・下段横部材２１，２２の外周部の四分の一周分を係合するように切欠かれている。しかし、これに限定されず、例えば、上段・下段横部材２１，２２の外周部の六分の一周分を係合するように切り欠かれたものでもよい。また、浅い係合凹部６４ｆ１，６４ｆ２，６４ｒ１，６４ｒ２は、設けられてなくともよく、係合凹部６３ｆ１，６３ｆ２，６３ｒ１，６３ｒ２のみが設けられているものでもよい。
【００３７】
上記の記載で明らかなように、第一実施形態におけるソーラーパネル用架台１は、段違いで互いに平行し水平方向に沿って延在する一対の横部材（上段横部材２１、下段横部材２２）と、上段横部材２１と下段横部材２２横部材との間に横架され一方側（前側）に傾斜した状態で互いに平行に延在する一対の傾斜部材２３Ｒ，２３Ｌと、を有する傾斜支持枠２と、傾斜支持枠２を設置面ＧＤに固定支持する固定支持部材３と、傾斜支持枠２の上方に設けられソーラーパネル７が配設固定される方形状のパネル支持部材５と、傾斜支持枠２とパネル支持部材５との間に上段横部材２１および下段横部材２２に平行な方向に沿って延在するように設けられ、パネル支持部材５の対向する二辺の中央部でパネル支持部材５を回動可能に支持する支持軸４と、パネル支持部材５の回動する両端側に一方の端部が回動自在に夫々設けられ、パネル支持部材５の所定の傾斜角度位置に対応する位置において、下方側が開口し回動方向上方から上段横部材２１または下段横部材２２の外周の半周分を係脱可能に係合する係合凹部６３ｆ１，６３ｆ２，６４ｒ１，６３ｒ２を有する一対のストッパ部材６ｆ，６ｒと、を備える。
【００３８】
これによると、ソーラーパネル７を配設固定するパネル支持部材５は、傾斜支持枠２とパネル支持部材５との間に設けられた支持軸４に中央部が回動可能に支持される。そのため、作業者は、パネル支持部材５を、大きな力を要することなく、必要な傾斜角度に傾斜させることができる。
【００３９】
パネル支持部材５が所定の傾斜角度になったときに、ストッパ部材６ｆ，６ｒの対応する係合凹部６３ｆ１，６３ｆ２，６３ｒ１，６３ｒ２が上段横部材２１または下段横部材２２に割り出され、ストッパ部材６ｆ，６ｒは、下方へ回動し該当する係合凹部６３ｆ１，６３ｆ２，６３ｒ１，６３ｒ２が上段横部材２１または下段横部材２２に係合する。パネル支持部材５の回動を停止させようとする際に、ストッパ部材６ｆ，６ｒには、上段横部材２１または下段横部材２２よりストッパ部材６ｆ，６ｒの軸方向に沿った方向の力が作用する。しかし、ストッパ部材６ｆ，６ｒの係合凹部６３ｆ１，６３ｆ２，６３ｒ１，６３ｒ２は、上段横部材２１または下段横部材２２の外周の半周分を係合しているので、ストッパ部材６ｆ，６ｒの軸方向に作用する力は、係合凹部６３ｆ１，６３ｆ２，６３ｒ１，６３ｒ２の開口縁部で受けられて係合凹部６３ｆ１，６３ｆ２，６３ｒ１，６３ｒ２と上段横部材２１または下段横部材２２とが外れることはない。
【００４０】
このように、作業者は、大きな力を要することなく、パネル支持部材５を簡単に傾斜させる。そして、太陽の光を最も受ける方向にソーラーパネル７を向けて確実に支持することができる。
【００４１】
また、ソーラーパネル用架台１において、一対のストッパ部材６ｆ，６ｒは、係合凹部６３ｆ１，６３ｒ１が夫々少なくとも１つずつ設けられ、一方のストッパ部材６ｆの係合凹部６３ｆ１が下段横部材２２に係合する場合に、他方のストッパ部材６ｒの係合凹部６３ｒ１は、上段横部材２１に係合しない。
【００４２】
これによると、一対のストッパ部材６ｆ、６ｒのうち、一方のストッパ部材６ｆに設けられた係合凹部６３ｆ１、および他方のストッパ部材６ｒに設けられた係合凹部６３ｒ１のいずれか一つに係合することで、パネル支持部材５を所定の位置に傾斜させて支持することができる。
【００４３】
また、ソーラーパネル用架台１において、一対のストッパ部材６ｆ、６ｒは、係合凹部６３ｆ１，６３ｆ２，６３ｒ１，６３ｒ２が少なくとも２つずつ設けられ、一方のストッパ部材６ｆの係合凹部６３ｆ１，６３ｆ２が一方の下段横部材２２に係合する場合に、他方のストッパ部材６ｒの係合凹部６３ｒ１，６３ｒ２は、上段横部材２１に係合しない。
【００４４】
これによると、少なくとも四箇所の傾斜位置でパネル支持部材５を支持することができ、四季ごとの太陽の高度や台風時の耐風位置に合わせて、ソーラーパネル７を傾斜させて支持することができる。
【００４５】
また、ソーラーパネル用架台１において、ストッパ部材６ｆ、６ｒは、係合凹部６３ｆ１，６３ｆ２，６３ｒ１，６３ｒ２と、上段横部材２１、下段横部材２２の外周の半周分を係合するに満たない浅い係合凹部６４ｆ１，６４ｆ２，６４ｒ１，６４ｒ２と、が交互に並べて配設され、一方のストッパ部材６ｆの係合凹部６３ｆ１，６３ｆ２が一方の横部材としての下段横部材２２に係合した際に、他方のストッパ部材６ｒの浅い係合凹部６４ｒ１，６４ｒ２が他方の横部材としての上段横部材２１に係合する。
【００４６】
これによると、一方のストッパ部材６ｆの係合凹部６３ｆ１，６３ｆ２が下段横部材２２に係合した際に、浅い係合凹部６４ｒ１，６４ｒ２に一致した上段横部材２１は、浅い係合凹部６４ｒ１，６４ｒ２に嵌まり込んで安定する。そして、一方のストッパ部材６ｆの係合凹部６３ｆ１，６３ｆ２が下段横部材２２から外されると、パネル支持部材５の回動によって他方のストッパ部材６ｒに軸方向からの力が加わり、上段横部材２１と浅い係合凹部６４ｒ１，６４ｒ２との係合が外れる。続いて、上段横部材２１は、浅い係合凹部６４ｒ１，６４ｒ２の隣に位置する係合凹部６３ｒ１，６３ｒ２に係合する。このように、一方のストッパ部材６ｆを下段横部材２２から外すだけで、他方のストッパ部材６ｒの浅い係合凹部６４ｒ１，６４ｒ２を上段横部材２１から外すことができ、パネル支持部材５の一方側から傾斜操作を極めて簡単に行なう事ができる。
【００４７】
また、ソーラーパネル用架台１において、パネル支持部材５、ストッパ部材６ｆ、６ｒおよびパネル支持部材５に配設固定されるソーラーパネル７の各重心の合成によって形成される合成重心Ｇは、パネル支持部材５の回動中心ＳＣの直下に設定される。
【００４８】
これによると、パネル支持部材５には、回動中心ＳＣを挟んで両側の重量が釣り合う方向に回転力が働く。本実施形態では、パネル支持部材５が水平位置で重量が釣り合う設定である。そのため、作業者は、パネル支持部材５を傾斜の急な位置から傾斜の緩やかな位置に変更しようとするときには、一方の横部材（上段横部材２１または下段横部材２２）から係合していたストッパ部材６ｆ，６ｒの係合凹部６３ｆ１，６３ｆ２，６３ｒ２を外す作業をするだけで、パネル支持部材５は自然に回転して次の傾斜の緩やかな係合位置で横部材（上段横部材２１または下段横部材２２）と係合凹部６３ｆ２，６３ｒ１，６３ｒ２とを係合させることができる。
【００４９】
（第二実施形態）
次に、ソーラーパネル用架台の第二実施形態について、図１１に基づいて以下に説明する。
第二実施形態のソーラーパネル用架台１０１は、パネル支持部材５、ストッパ部材６ｆ、６ｒ、ソーラーパネル７の合計重量Ｗが作用する合成重心Ｇの位置は、図１１に示すように、回動中心ＳＣに一致するように設定されている点において、第一実施形態と相違する。その他の点については、構成が同様であるので、同じ符号を付与して説明を省略する。
第二実施形態のソーラーパネル用架台１０１は、前述のように、パネル支持部材５、ストッパ部材６ｆ、６ｒ、ソーラーパネル７の合計重量Ｗが作用する合成重心Ｇの位置は、パネル支持部材５の回動中心ＳＣに一致する。そのため、パネル支持部材５、ストッパ部材６ｆ、６ｒ、ソーラーパネル７は、回動中心ＳＣに対して常に釣り合いが取れた状態となる。そして、パネル支持部材５が、いずれの傾斜角度に支持されている場合であっても、作業者は、大きな力を加えることなく、パネル支持部材５を所望の傾斜角度に変更することができる。その他の作用効果は、第一実施形態と同様であるので、説明を省略する。
【００５０】
（第三実施形態）
次に、ソーラーパネル用架台の第三実施形態について、図１２〜図１３に基づいて以下に説明する。
第三実施形態におけるソーラーパネル用架台２０１は、パネル支持部材５、ストッパ部材６ｆ、６ｒ、ソーラーパネル７の合計重量Ｗが作用する合成重心Ｇは、図１２に示すように、回動中心ＳＣより前側に偏ってずれた位置に設定されている点において、第一実施形態と相違する。このように、回動中心ＳＣより前側に偏ってずれた位置に設定されているため、ソーラーパネル７が固定されたパネル支持部材５には、傾斜角度を急角度に向かって付勢する方向に回転力が働く。（なお、図１２および図１３において、合成重心Ｇのずれを説明上わかりやすくするために、大きくずらせて表現している。）。その他の点については、第一実施形態と構成が同様であるので、同じ符号を付与して説明を省略する。
【００５１】
図１２に示すように、パネル支持部材５の傾斜角度が２０度に支持されている場合、作業者は、後側のストッパ部材６ｒにおいて、下の位置の係合凹部６３ｒ２を上段横部材２１から取り外す。
パネル支持部材５は、図１２において反時計回りに回転し、前側のストッパ部材６ｆにおいて、下段横部材２２は、上の位置の浅い係合凹部６４ｆ１から自然に外れる。そして、下段横部材２２は、図１３に示すように、上の係合凹部６３ｆ１に係合する。その際、上段横部材２１は、後側のストッパ部材６ｒにおいて、下の位置の浅い係合凹部６４ｒ２に係合する。これによって、パネル支持部材５は、傾斜角度３０度で支持される。
【００５２】
このように、第三実施形態に置けるソーラーパネル用架台２０１は、パネル支持部材５の傾斜角度を急角度に変更する場合には、作業者は、上段横部材２１または下段横部材２２に係合しているストッパ部材６ｆ、６ｒの係合凹部６３ｒ１，６３ｒ２,６３ｆ２を外すだけで、次の傾斜角度位置に簡単に変更することができる。
【００５３】
上記の記載で明らかなように、第三実施形態におけるソーラーパネル用架台２０１は、パネル支持部材５、ストッパ部材６ｆ、６ｒおよびパネル支持部材５に配設固定されるソーラーパネル７の合計重量Ｗが作用する合成重心Ｇは、パネル支持部材５が回動された際に傾斜により低くなる側に、偏って設定される。
【００５４】
これによると、パネル支持部材５には、パネル支持部材５を傾斜がより急な方向へ回動しようとする回転力が働く。そのため、傾斜の緩やかな位置から傾斜の急な位置に変更しようとするときには、一方の横部材（上段横部材２１または下段横部材２２）から係合していたストッパ部材６ｆ、６ｒの係合凹部６３ｆ２，６３ｒ１，６３ｒ２を外す作業をするだけで、パネル支持部材５は自然に回転して次の傾斜の急な係合位置で他方の横部材（上段横部材２１または下段横部材２２）と係合凹部６３ｆ１，６３ｆ２，６３ｒ２とを係合させることができる。
【００５５】
（第四実施形態）
次に、ソーラーパネル用架台の第四実施形態について、図１４に基づいて以下に説明する。
第四実施形態におけるソーラーパネル用架台３０１は、パネル支持部材５に重心位置移動装置８が設けられている点において、第一実施形態と相違する。その他の構成は、第一実施形態と同様であるので、同じ符号を付与して説明を省略する。
【００５６】
重心位置移動装置８は、ガイドレール８１、ガイドレール８１に沿ってスライドする重量部としての錘部８２、ガイドレール８１上の錘部８２の位置を保持する位置決めストッパ（図略）を有している。ガイドレール８１は、パネル支持部材５の回動棒部材５１Ｒの側面に、回動棒部材５１Ｒの長手方向に沿って延在するように設けられている。ガイドレール８１は、支持軸４を中心（回動中心ＳＣ）に挟んで、パネル支持部材５の前側（一方側に相当）および後側（他方側に相当）の両側方に跨って延在している。ガイドレール８１は、例えば、断面Ｈ形に形成されたステンレス鋼材で、両側面には長手方向に沿って延在する係合溝（図略）が設けられている。ガイドレール８１の裏面は、回動棒部材５１Ｒの側面に固定されている。
【００５７】
錘部８２は、略直方体形状に設けられ、裏面側の上部および下部には、ガイドレール８１の側面の係合溝に摺動可能に夫々係合する係合突部（図略）が設けられている。錘部８２は、作業者の操作によって作動する位置決めストッパによって、ガイドレール８１上にある前側位置Ｆ、中央位置Ｏおよび後側位置Ｒに停止するようになっている。前側位置Ｆから中央位置Ｏ、後側位置Ｒから中央位置Ｏに錘部８２を移動させることが、回動中心ＳＣに接近させることに相当し、中央位置Ｏから前側位置Ｆまたは後側位置Ｒに錘部８２を移動させることが、回動中心ＳＣより離間させることに相当する。
【００５８】
錘部８２が前側位置Ｆに位置決めされた場合には、合成重心Ｇは、前側の合成重心Ｇｆに移動し、前側の合成重心Ｇｆによってパネル支持部材５は、図１４において反時計回り回転する回転力が生じる。
【００５９】
錘部８２が中央位置Ｏに位置決めされた場合には、合成重心は中央の合成重心Ｇｏに移動し、中央の合成重心Ｇｏによって、パネル支持部材５を水平に保持する方向の回転力が生じる。
【００６０】
錘部８２が後側位置Ｒに位置決めされた場合には、合成重心は後側の合成重心Ｇｒに移動し、後側の合成重心Ｇｒによってパネル支持部材５は、図１４において時計回りに回転する回転力を生じる。
【００６１】
（作動）
現在、パネル支持部材５が支持されている傾斜角度（例えば、１０度）より、急な傾斜角度（例えば、２０度）に変更する場合には、重心位置移動装置８において、作業者は、錘部８２を前側位置Ｆに位置決めする。これによって、パネル支持部材５は、急な傾斜角度に向かって回転する回転力を生じ、係合している係合凹部６３ｆ２と下段横部材２２との係合を外すだけで、現在よりも急な傾斜角度２０度まで回転する。現在よりも急な２０度の傾斜角度位置まで回転したところで、後側のストッパ部材６ｒにおいて、次の係合凹部６３ｒ２が上段横部材２１に係合して、パネル支持部材５は、２０度の傾斜角度位置で支持される。
【００６２】
現在、パネル支持部材５が支持されている傾斜角度（例えば、１０度）より、緩やかな傾斜角度（例えば、０度）に変更する場合には、重心位置移動装置８において、作業者は、錘部８２を中央位置Ｏまたは後側位置Ｒに位置決めする。これによって、パネル支持部材５は、緩やかな傾斜角度（０度）に向かって回転する回転力を生じ、前側のストッパ部材６ｆにおいて、係合している係合凹部６３ｆ２と下段横部材２２との係合を外すだけで、現在よりも緩やかな傾斜角度位置（０度）まで回転する。現在よりも緩やかな所定の傾斜角度位置（０度）まで回転したところで、後側のストッパ部材６ｒにおいて、次の係合凹部６３ｒ１が上段横部材２１に係合して、パネル支持部材５は、現在より緩やかな所定の傾斜角度位置（０度）で支持される。
【００６３】
このように、現在の傾斜角度より、急な傾斜角度にパネル支持部材５を変更する場合には、重心位置移動装置８において、作業者は、錘部８２を前側位置Ｆに位置決めする。現在の傾斜角度より、緩やかな傾斜角度にパネル支持部材５を変更する場合には、錘部８２を中央位置Ｏまたは後側位置Ｒに位置決めする。これによって、作業者は、パネル支持部材５の端部を引き上げたり、押し下げたりする煩雑な操作をおこなうことなく、簡単にパネル支持部材５の傾斜角度を変更することができる。
【００６４】
上記の記載で明らかなように、第四実施形態におけるソーラーパネル用架台３０１は、パネル支持部材５には、重量部（錘部８２）を回動中心ＳＣに対して接近離間させることで、合成重心Ｇの位置を、回動中心ＳＣを挟んだ両側方のうちの一方側および他方側のいずれかの位置に移動させることが可能な重心位置移動装置８が設けられている。
【００６５】
これによると、重心位置移動装置８によって、合成重心Ｇの位置を移動させることで、パネル支持部材５に働く回転力の方向を操作する。これによって、作業者がパネル支持部材５に手を加えて回すことなく、必要な回転方向にパネル支持部材５を回転させることができ、所望の傾斜角度に容易に変更することが可能となる。
【００６６】
なお、上記実施形態において、重心位置移動装置８は、パネル支持部材５の回動棒部材５１Ｒの中央位置に設けられていたが、これに限定されず、例えば、パネル支持部材５の片方の端部に設けられていてもよい。この場合、錘部を回動中心側に接近させる位置に位置決めすると、重心位置移動装置が設けられた側が上がり、錘部を回動中心側から離間させる位置に位置決めすると、重心位置移動装置８が設けられた側が、下がるようにパネル支持部材５の釣り合いを設定する。
【００６７】
また、ストッパ部材６ｆ、６ｒは、上部が回動自在に支持され、傾斜した状態で長板状部の下面が横部材に当接するように配置されている。そして、ストッパ部材の自重で、回動して係合凹部が横部材に係合する。しかし、このようにストッパ部材が自重で回動するものに限定されず、例えば、ストッパ部材を回動する方向に付勢するバネ部材を設けてもよい。
斯様に、上記した実施の形態で述べた具体的構成は、本発明の一例を示したものにすぎず、本発明はそのような具体的構成に限定されることなく、本発明の主旨を逸脱しない範囲で種々の態様を採り得るものである。
【産業上の利用可能性】
【００６８】
ソーラーパネルの傾斜角度を、数多く或いは頻繁に変更する必要があるソーラーパネル設備に利用することができる。
【符号の説明】
【００６９】
１…ソーラーパネル用架台、２…傾斜支持枠、２１…上段横部材（横部材）、２２…下段横部材（横部材）、２３Ｒ…傾斜部材、２３Ｌ…傾斜部材、３…固定支持枠、４…支持軸、５…パネル支持部材、５１Ｒ…回動棒部材（対向する二辺）、５１Ｌ…回動棒部材（対向する二辺）、６ｆ…ストッパ部材、６ｒ…ストッパ部材、６３ｆ１…係合凹部、６３ｆ２…係合凹部、６３ｒ１…係合凹部、６３ｒ２…係合凹部、６４ｆ１…浅い係合凹部、６４ｆ２…浅い係合凹部、６４ｒ１…浅い係合凹部、６４ｒ２…浅い係合凹部、７…ソーラーパネル、８…重心位置移動装置、８２…錘部（重量部）、１０１…ソーラーパネル用架台、２０１…ソーラーパネル用架台、３０１…ソーラーパネル用架台、Ｇ…合成重心、ＳＣ…回動中心。
【図１】
2016185555.tif 000003
【図２】
2016185555.tif 000004
【図３】
2016185555.tif 000005
【図４】
2016185555.tif 000006
【図５】
2016185555.tif 000007
【図６】
2016185555.tif 000008
【図７】
2016185555.tif 000009
【図８】
2016185555.tif 000010
【図９】
2016185555.tif 000011
【図１０】
2016185555.tif 000012
【図１１】
2016185555.tif 000013
【図１２】
2016185555.tif 000014
【図１３】
2016185555.tif 000015
【図１４】
2016185555.tif 000016
【国際調査報告】
2016185555.tif 000017
2016185555.tif 000018
2016185555.tif 000019